【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
論理サブシステムにより実行可能な命令を保持するデータ保持サブシステムであって、
ネットワークコンピュータ装置において、制限されていない公開されたブラウジングセッション又はプライベートブラウジングセッションの何れかを選択的に起動する処理であって、前記ネットワークコンピュータ装置は他のネットワークコンピュータ装置とネットワークを通じて通信可能に結合されており、前記プライベートブラウジングセッションは、前記ネットワークコンピュータ装置と前記他のネットワークコンピュータ装置との間の活動に対応する１つ以上のネットワークブラウジング記憶情報を、プライベート認証情報による保護の下で、制限的に保存する処理と、
前記プライベートブラウジングセッションが終了した後、提示され受信された認証情報が前記プライベート認証情報に合致していない限り、前記プライベートブラウジングセッションへのアクセスを禁止する処理と、
前記提示され受信された認証情報が前記プライベート認証情報に合致していた場合、前記１つ以上のネットワークブラウジング記憶情報にアクセスしながら前記プライベートブラウジングセッションを再開する処理と
を実行するデータ保持サブシステム。
【請求項２】
前記ネットワークブラウジング記憶情報が、前記ネットワークコンピュータ装置及び遠隔的なネットワークコンピュータ装置のうちの少なくとも１つに、ネットワークアクセス可能なユーザアカウントの一部として制限的に保存される、請求項１に記載のデータ保持サブシステム。
【請求項３】
前記ネットワークブラウジング記憶情報が、ブラウザ履歴、ブラウザブックマーク、ネットワークダウンロード、自動記入情報及びブラウザクッキーのうちの少なくとも１つを含む、請求項１に記載のデータ保持サブシステム。
【請求項４】
前記ネットワークブラウジング記憶情報は、連絡先情報、通信情報及びユーザの好みのうちの少なくとも１つを含む、請求項１に記載のデータ保持サブシステム。
【請求項５】
前記プライベートブラウジングセッションが複数のプライベートブラウジングセッションのうちの１つであり、該複数のプライベートブラウジングセッションの各々が、他のプライベートブラウジングセッションについて制限的に保存されたネットワークブラウジング記憶情報とは別に、１つ以上のネットワークブラウジング記憶情報を制限的に保存する、請求項１に記載のデータ保持サブシステム。
【請求項６】
プライベートブラウジングセッションの各々が異なるパスワードによる保護の下で制限的に保存される、請求項５に記載のデータ保持サブシステム。
【請求項７】
プライベートブラウジングセッションの各々が共有されるマスタ認証情報による保護の下で制限的に保存される、請求項５に記載のデータ保持サブシステム。  
【請求項８】
制限されていない公開されたブラウジングセッションが始まった後に、前記制限されていない公開されたブラウジングセッションをプライベートブラウジングセッションに変換することで、前記プライベートブラウジングセッションが選択的に起動され、及び
前記制限されていない公開されたブラウジングセッションのうちの任意の制限されていないネットワークブラウジング記憶情報が、前記プライベート認証情報による保護の下で、前記プライベートブラウジングセッションに変換される前記制限されていない公開されたブラウジングセッションについて保存される、請求項１に記載のデータ保持サブシステム。
【請求項９】
前記プライベートブラウジングセッションが該プライベートブラウジングセッションの開始前に選択的に起動され、提示され受信された認証情報が前記プライベート認証情報に合致するまで、前記プライベート認証情報の存在は秘密にされる、請求項１に記載のデータ保持サブシステム。
【請求項１０】
ブラウザプライバシを保護する保護方法であって、
ネットワークコンピュータ装置において、制限されていない公開されたブラウジングセッション又はプライベートブラウジングセッションの何れかを選択的に起動するステップであって、前記ネットワークコンピュータ装置は他のネットワークコンピュータ装置とネットワークを通じて通信可能に結合されており、前記プライベートブラウジングセッションは、前記ネットワークコンピュータ装置と前記他のネットワークコンピュータ装置との間の活動に対応する１つ以上のネットワークブラウジング記憶情報を、プライベート認証情報による保護の下で、制限的に保存する、ステップと、
前記プライベートブラウジングセッションが終了した後、提示され受信された認証情報が前記プライベート認証情報に合致していない限り、前記プライベートブラウジングセッションへのアクセスを禁止するステップと、
前記提示され受信された認証情報が前記プライベート認証情報に合致していた場合、前記１つ以上のネットワークブラウジング記憶情報にアクセスしながら前記プライベートブラウジングセッションを再開するステップと
を有する保護方法。
【請求項１１】
ブラウザプライバシを保護するための保護方法をシステムに実行させるコンピュータプログラムであって、前記保護方法は、
ネットワークコンピュータ装置において、制限されていない公開されたブラウジングセッション又はプライベートブラウジングセッションの何れかを選択的に起動するステップであって、前記ネットワークコンピュータ装置は他のネットワークコンピュータ装置とネットワークを通じて通信可能に結合されており、前記プライベートブラウジングセッションは、前記ネットワークコンピュータ装置と前記他のネットワークコンピュータ装置との間の活動に対応する１つ以上のネットワークブラウジング記憶情報を、プライベート認証情報による保護の下で、制限的に保存する、ステップと、
前記プライベートブラウジングセッションが終了した後、提示され受信された認証情報が前記プライベート認証情報に合致していない限り、前記プライベートブラウジングセッションへのアクセスを禁止するステップと、
前記提示され受信された認証情報が前記プライベート認証情報に合致していた場合、前記１つ以上のネットワークブラウジング記憶情報にアクセスしながら前記プライベートブラウジングセッションを再開するステップと
を有する、コンピュータプログラム。
【手続補正２】
【補正対象書類名】明細書
【補正対象項目名】０００５
【補正方法】変更
【補正の内容】
【０００５】
実施の形態によるデータ保持サブシステムは、
論理サブシステムにより実行可能な命令を保持するデータ保持サブシステムであって、
ネットワークコンピュータ装置において、制限されていない公開されたブラウジングセッション又はプライベートブラウジングセッションの何れかを選択的に起動する処理であって、前記ネットワークコンピュータ装置は他のネットワークコンピュータ装置とネットワークを通じて通信可能に結合されており、前記プライベートブラウジングセッションは、前記ネットワークコンピュータ装置と前記他のネットワークコンピュータ装置との間の活動に対応する１つ以上のネットワークブラウジング記憶情報を、プライベート認証情報による保護の下で、制限的に保存する処理と、
前記プライベートブラウジングセッションが終了した後、提示され受信された認証情報が前記プライベート認証情報に合致していない限り、前記プライベートブラウジングセッションへのアクセスを禁止する処理と、
前記提示され受信された認証情報が前記プライベート認証情報に合致していた場合、前記１つ以上のネットワークブラウジング記憶情報にアクセスしながら前記プライベートブラウジングセッションを再開する処理と
を実行するデータ保持サブシステムである。
【手続補正３】
【補正対象書類名】明細書
【補正対象項目名】００２９
【補正方法】変更
【補正の内容】
【００２９】
一実施形態において、制限されていない公開されたブラウジングセッションが始まった後に、制限されていない公開されたブラウジングセッションをプライベートブラウジングセッションに変換することで、プライベートブラウジングセッションが選択的に起動されてもよい。非限定的な具体例として、インターネットブラウザ又はその他のアプリケーションは、制限されていない公開されたブラウジングセッションをプライベートブラウジングセッションとして保存することをユーザに促してもよい。図5は、ユーザがブラウザウィンドウを閉じた場合、或いはブラウジングセッションを終了することが示された場合に、ユーザにて維持されてもよいユーザ判断インタフェース70の一例を示す。ユーザ判断インタフェースは、限定されていない公開されたブラウジングセッションがかつてプライベートブラウジングセッションとして保存されたか否かをユーザが指定できるようにする。その場合において、セッションがプライベートブラウジングセッションとして保存されるべきであることをユーザが示した場合、非限定的な公開されたブラウジングセッションのうち何らかの非限定的なネットワークブラウジング記憶情報が以後の再開のために保存されてもよい。更に、ネットワークブラウジング記憶情報へのアクセスは、プライベート認証情報による保護の下で禁止されてもよい。
【手続補正４】
【補正対象書類名】明細書
【補正対象項目名】００３１
【補正方法】変更
【補正の内容】
【００３１】
図6は、上記の方法及び処理のうちの1つ以上を実行する非限定的なコンピュータシステム80を概略的に示す(例えば、コンピュータシステム80は図3のインターネットブラウザ50を実行するネットワーク(を介して)アクセス可能なコンピュータ装置として機能する)。コンピュータ装置80は簡略化された形態として示されている。本願の開示範囲から逸脱することなく任意の仮想的なコンピュータアーキテクチャを使用してもよいことが、理解されるべきである。様々な実施形態において、コンピュータ装置80は、メインフレームコンピュータ、サーバコンピュータ、デスクトップコンピュータ、ラップトップコンピュータ、タブレットコンピュータ、家庭娯楽用コンピュータ、モバイルコンピュータ装置、移動通信装置、ゲーム装置等の形態をとってもよい。
【手続補正５】
【補正対象書類名】明細書
【補正対象項目名】００３６
【補正方法】変更
【補正の内容】
【００３６】
データ保持サブシステム84は取り外し可能なメディア及び/又は内蔵型の装置を含んでもよい。データ保持サブシステム84は、光学的メモリ装置(例えば、CD、DVD、HD-DVD、ブルーレイディスク等)、半導体メモリ装置(例えば、RAM、EPROM、EEPROM等)及び/又は磁気メモリ装置(例えば、ハードディスクドライブ、フロッピディスクドライブ、テープドライブ、MRAM等)を特に含んでいてもよい。データ保持サブシステム84は、以下の特徴(揮発性、不揮発性、静的、リード/ライト、リードオンリ、ランダムアクセス、シーケンシャルアクセス、ロケーションアドレス指定可能、ファイルアドレス指定可能、及びコンテンツアドレス指定可能)のうちの1つ以上を備えた装置を含んでいてもよい。一実施形態において、論理サブシステム82及びデータ保持サブシステム84は、例えば、特定用途向け集積回路又はシステムオンチップのような1つ以上の共通する装置に集積されてもよい。
【手続補正６】
【補正対象書類名】明細書
【補正対象項目名】００４１
【補正方法】変更
【補正の内容】
【００４１】
様々な変形例が可能であるので、本願で説明された形態及び/又は方式は例示的な性質を有すること、及びこれらの具体的な実施形態又は具体例は限定的な意味で解釈されてはならないことが、理解されるであろう。本願で説明された特定のルーチン又は方法は1つ以上の任意の数の処理手段を表現してもよい。すなわち、説明された様々な動作は説明された順序で実行されてもよいし、他の実施形態では同時に実行されてもよいし、或いは場合によっては省略されてもよい。同様に、上記の処理の順序も変更されてよい。